(57)【要約】【課題】外刃の保持構造を少ない部品点数によって実現すると共に、可動部分および隙間を減らし、さらに、刃枠体の上面形状が凸面と凹面との間で変化可能な構造を実現する。【解決手段】本発明に係るロータリー式電気かみそり１は、外刃２２と内刃４２とを有する刃ユニット１６が複数配設された刃枠体３０が装着されたロータリー式電気かみそりであって、刃枠体３０は、各外刃２２が個別に装着される複数の外刃枠３２を有すると共に、隣接する外刃枠３２同士が連結される連結部３４を有し、隣接する外刃枠３２同士が連結位置Ｘにおいて屈曲可能なように遊びを持って連結され、且つ、刃枠体３０の上面３０ａが凸面となるようにヘッドケース１２に保持されており、少なくとも一の外刃枠３２が押下されたときに、連結された全ての外刃枠３２が連動して動いて刃枠体３０の上面３０ａが凹面となるように変形可能である。【選択図】図１
2015070927.tif 000002
【特許請求の範囲】
【請求項１】
本体部に保持されるヘッドケースに、環状の髭剃り面を上面に有する外刃と該外刃の下面に摺接して回転する内刃とを有する刃ユニットが複数配設された刃枠体が装着されたロータリー式電気かみそりであって、
前記刃枠体は、
前記各外刃が個別に装着される複数の外刃枠を有すると共に、隣接する前記外刃枠同士が連結される連結部を有し、
隣接する前記外刃枠同士が連結位置において屈曲可能なように遊びを持って連結され、且つ、該刃枠体の上面が凸面となるように前記ヘッドケースに保持されており、
少なくとも一の前記外刃枠が押下されたときに、連結された全ての前記外刃枠が連動して動いて該刃枠体の上面が凹面となるように変形可能であること
を特徴とするロータリー式電気かみそり。
【請求項２】
前記連結部として、前記刃枠体の外縁部に設けられる第１の連結部と、前記刃枠体の中央寄りに設けられる第２の連結部と、を有し、
前記第１の連結部および前記第２の連結部は、少なくとも一方がスナップフィット係合構造を有することによって、連結が解放されないように形成されていること
を特徴とする請求項１記載のロータリー式電気かみそり。
【請求項３】
前記刃枠体は、下面側の中央位置において、前記各外刃枠に形成された突起部の集合体としての突起集合部を有し、
前記突起集合部は、前記刃枠体の下面側に固定される内刃受によって上下動可能に保持される可動軸に設けられた溝部に嵌合されており、
第１の付勢部材により前記可動軸が前記刃枠体の下面から上面に向かう方向に付勢されることによって、該刃枠体が付勢されること
を特徴とする請求項１または請求項２記載のロータリー式電気かみそり。
【請求項４】
前記刃枠体は、前記各外刃枠において前記ヘッドケースに係合される係合部材を有し、
前記係合部材は、前記ヘッドケースに設けられた嵌合孔に嵌合されて前記外刃枠を揺動可能且つ着脱可能に支持する支点軸部材と、該支点軸部材を該嵌合孔に入り込む方向に付勢する第２の付勢部材と、を有していること
を特徴とする請求項１〜３のいずれか一項記載のロータリー式電気かみそり。
【請求項５】
前記支点軸部材は、前記揺動の軸となる軸線が、平面視において外刃の髭剃り面の中心と一致する位置もしくはその近傍位置を通過し、且つ、前記刃枠体の中心と該髭剃り面の中心とを結ぶ線と直交する配置に設けられていること
を特徴とする請求項４記載のロータリー式電気かみそり。
【発明の詳細な説明】
【技術分野】
【０００１】
本発明は、ロータリー式電気かみそりに関する。
【背景技術】
【０００２】
例えば特許文献１に記載されるように、本体部に保持されるヘッドケースに、環状の髭剃り面を上面に有する外刃と該外刃の下面に摺接して回転する内刃とを有する刃ユニットが複数配設されたロータリー式電気かみそりが知られている。
【先行技術文献】
【特許文献】
【０００３】
【特許文献１】特許第３９６４４０４号公報
【発明の概要】
【発明が解決しようとする課題】
【０００４】
ここで、特許文献１に例示されるロータリー式電気かみそりは、外刃枠内において各外刃を備えた可動刃枠が設けられる構成である。当該構成においては、部品点数が多く、また構造が複雑となるため、コストが上昇してしまうという課題があった。さらに、可動部分が多くなるため、当該可動部分における隙間等に汚れが蓄積してしまうという課題があった。
【０００５】
本発明は、上記事情に鑑みてなされ、ヘッド部における外刃の保持構造を少ない部品点数によって実現し、構造を簡素化することで、コストの低減を可能とすると共に、可動部分を減らすことで、隙間への汚れの蓄積を防止することを可能とし、さらに、刃枠体の上面形状が凸面と凹面との間で変化可能な構造を実現することによって、使用者の肌への追従性が向上して、髭剃り性能および剃り心地を向上させることが可能なロータリー式電気かみそりを提供することを目的とする。
【課題を解決するための手段】
【０００６】
一実施形態として、以下に開示するような解決手段により、前記課題を解決する。
【０００７】
開示のロータリー式電気かみそりは、本体部に保持されるヘッドケースに、環状の髭剃り面を上面に有する外刃と該外刃の下面に摺接して回転する内刃とを有する刃ユニットが複数配設された刃枠体が装着されたロータリー式電気かみそりであって、前記刃枠体は、前記各外刃が個別に装着される複数の外刃枠を有すると共に、隣接する前記外刃枠同士が連結される連結部を有し、隣接する前記外刃枠同士が連結位置において屈曲可能なように遊びを持って連結され、且つ、該刃枠体の上面が凸面となるように前記ヘッドケースに保持されており、少なくとも一の前記外刃枠が押下されたときに、連結された全ての前記外刃枠が連動して動いて該刃枠体の上面が凹面となるように変形可能であることを要件とする。
【発明の効果】
【０００８】
開示のロータリー式電気かみそりによれば、ヘッド部における外刃の保持構造を少ない部品点数によって実現することができる。したがって、構造の簡素化およびコストの低減が可能となる。また、可動部分を減らすことで、隙間を減らすことができるため、隙間への汚れの蓄積を低減することが可能となる。さらに、刃枠体の上面形状が凸面と凹面との間で変化可能な構造を実現することができる。これによって、使用者の肌への追従性が向上して、髭剃り性能および剃り心地を向上させることができる。
【図面の簡単な説明】
【０００９】
【図１】本発明の実施形態に係るロータリー式電気かみそりの例を示す概略図である。
【図２】図１に示すロータリー式電気かみそりのヘッド部の例を示す概略図（分解図）である。
【図３】図１に示すロータリー式電気かみそりの刃枠体および内刃受の例を示す概略図である。
【図４】図１に示すロータリー式電気かみそりの刃枠体を構成する外刃枠の作動を説明するための説明図である。
【図５】図１に示すロータリー式電気かみそりの外刃枠の例を示す概略図である。
【図６】図１に示すロータリー式電気かみそりの刃枠体の作動を説明するための説明図である。
【発明を実施するための形態】
【００１０】
以下、図面を参照して、本発明の第一の実施形態について詳しく説明する。図１は、本実施形態に係るロータリー式電気かみそり１の例を示す概略図（斜視図）である。また、図２は、ロータリー式電気かみそり１のヘッド部３の例を示す概略図（分解斜視図）である。なお、実施形態を説明するための全図において、同一の機能を有する部材には同一の符号を付し、その繰り返しの説明は省略する場合がある。
【００１１】
本実施形態に係るロータリー式電気かみそり１は、図１、２に示すように、多数の髭進入口が形成された環状の髭剃り面を上面２２ａに有する外刃２２と、外刃２２の下面に摺接しつつ回転する小刃を持つ内刃４２とを備えて構成されて、髭進入口に進入した髭を外刃２２と内刃４２とでカットするロータリー式電気かみそりである。なお、外刃２２と内刃４２とを備えて構成される刃ユニット１６を三組有するロータリー式電気かみそりを例に挙げて説明するが、これに限定されるものではない。
【００１２】
図１において符号２は本体部であり、略円柱状のケース１０を備えている。このケース１０の内部には、電池、モータ、制御回路基板等（いずれも不図示）が収容されている。また、ケース１０の前面には電源スイッチ１４が取り付けられている。なお、図１中において符号Ｘは、刃枠体３０の構成要素である隣接する外刃枠３２同士が連結部３４によって連結された連結位置である（詳細は後述）。
【００１３】
また、刃ユニット１６の内刃４２を回転駆動させる駆動力を出力する主駆動軸（不図示）がケース１０の上面からヘッド部３（後述）の方向へ突出して配設されている。
【００１４】
一方、図１、２において符号３はヘッド部である。本実施形態に特徴的な構成として、ヘッド部３は本体部２に傾動可能に保持されている。ここで、ヘッド部３の詳細構造を図３の分解斜視図に示す。なお、ヘッド部３の本体部２への保持方式は傾動不能の固定式としてもよい。
【００１５】
図２に示すように、ヘッド部３は、本体部２のケース１０の上部に連結されて保持されるヘッドケース１２と、このヘッドケース１２に上方から被される刃枠体３０と、ヘッドケース１２の内底部に収容されるギア（不図示）や内刃駆動軸６０等からなる駆動機構と、刃枠体３０に僅かに上下動可能かつ揺動可能に保持される三組の刃ユニット１６とを備えている。ここで、各刃ユニット１６は、略円盤状の外刃２２と、この外刃２２の下面（内面）に摺接しながら回転する内刃４２とを備えている。また、三組の刃ユニット１６は平面視で、三角形となるように配設されている。なお、本実施形態は、前述の通り、刃ユニット１６を三組備える場合の例であるが、刃ユニットが三組以外の場合においても基本的な構成は同様に考えればよい。
【００１６】
駆動機構を構成する内刃駆動軸６０は、ギア等（不図示）を介して前述の主駆動軸に連結されて構成され、モータの駆動力を伝達して内刃４２を回転駆動する部材である。本実施形態に係る内刃駆動軸６０は、上端に球状部が設けられると共に内刃駆動軸受６１に保持されて、内部にコイルバネを縮装することにより伸び方向への復帰習性を生じさせる構成となっている。この復帰習性は、後記内刃４２の外刃２２に対する押圧力となる。
【００１７】
本実施形態に係る内刃４２は、図２に示すように、金属板の一部を板面に対して起立させた複数の小刃４２ａを備えて構成される。一例として、内刃４２はステンレス鋼からなる金属板を用いて、プレス加工による型抜きおよび折曲を行って形成される。なお、本実施形態において、内刃４２は金属板を用いた一体構造としているが、これに限定されるものではない。
【００１８】
ここで、内刃４２は樹脂製の内刃保持台４４に固定され、この内刃保持台４４の下部には前記内刃駆動軸６０の上端（球状部）が係合される凹部が形成されている。すなわち、この内刃駆動軸６０の上端の球状部が、それぞれ内刃４２の内刃保持台４４の下部に形成された凹部に下方から進入して搖動可能に係合されて、駆動力の伝達を可能としている。なお、当該係合構造は一例であって、他の継手構造を採用してもよい。
【００１９】
一方、外刃２２は上面２２ａにおいて（すなわち上面２２ａから下面に貫通させて）多数の髭進入口が形成され、当該髭進入口に入った髭をその下端部と内刃４２とで挟み込むようにしてカットするものである。外刃２２は周縁が下方に折曲された略カップ状の形状を有しており、後述の外刃枠３２に対してその下面側から上面側に向かう方向に嵌め込まれて構成されている。これにより、外刃２２は、前述の内刃４２によって下方から押圧された状態で、外刃枠３２に対して上下動可能且つ揺動可能に保持される構成となる。なお、髭進入口は、放射状のスリット形状や、丸孔形状、あるいはそれらの組み合わせ等、様々な形状を採用することができる。
【００２０】
上記の通り、内刃４２は、内刃駆動軸受６１に保持された内刃駆動軸６０によって保持されて外刃２２に当接する構成を備える。この構成によれば、内刃駆動軸６０の球状部によって揺動可能に保持されていることで、外刃２２の傾動に追従することができ、さらに、内刃駆動軸受６１のコイルバネ（不図示）による復帰習性によって、外刃２２の上下動にも追従することができるため、外刃２２の下面に対して内刃４２が常に当接するように押圧される構成が実現される。本実施形態においては、三つの外刃２２に対して、それぞれ内刃４２が下面側から押圧される構成を備える三組の独立した刃ユニット１６が形成される。
【００２１】
以上の構成を備えて、刃ユニット１６が組み立てられることによって、外刃２２の下面に、内刃４２の小刃４２ａの上端面がそれぞれ当接する状態となる。この状態で、内刃４２を回転駆動することによって、髭進入口に入った髭を内刃の刃先（小刃４２ａの先端）でカットすることができる。
【００２２】
次に、本実施形態に特徴的な刃枠体３０について詳しく説明する。図１〜３に示すように、各外刃２２が個別に装着される複数の外刃枠３２を有すると共に、隣接する外刃枠３２同士が連結部３４によって連結されて一体となった構成を備えている。ここで、図３は、刃枠体３０を下面側から視た斜視図である（なお、内刃４２、内刃受５４等も併せて図示している）。
【００２３】
このとき、隣接する外刃枠３２同士が連結部３４によって連結された連結位置Ｘにおいて屈曲可能なように遊びを持って連結されている。より詳しくは、隣接する外刃枠３２同士を側面方向から視た図４（ａ）、４（ｂ）に示すように、連結部３４によって連結された連結位置Ｘにおいて屈曲可能に、すなわち、隣接する外刃枠３２の上面同士のなす角θが１８０［°］以下と、１８０［°］以上との間で変化可能に構成されている。なお、隣接する外刃枠３２同士の全てにおいて、上記の構成が採用されている。
【００２４】
上記の構成によれば、図６（ａ）、６（ｂ）の動作説明図に示すように、刃枠体３０を構成している連結された全ての外刃枠３２が連動して動く構成が実現されて、刃枠体３０の上面３０ａが凸面となる状態（図６（ａ）参照）と、凹面となる状態（図６（ｂ）参照）との間で変形可能に構成することが可能となる。このように、刃枠体３０の上面３０ａが凸面と凹面との間で変形可能な構造を実現することができるため、使用者の肌への追従性が向上して、髭剃り性能および剃り心地を向上させることができる。
【００２５】
また、例えば、支持リム等を介して外刃を外刃枠に保持して、外刃を傾動させる構成の従来技術（特許文献１参照）と比較して、本実施形態の構成によれば、刃枠体３０（外刃枠３２）によって、直接、外刃２２を保持する構成が実現でき、且つ、刃枠体３０の上面３０ａを凸面と凹面との間で変形させる構成が実現できるため、外刃保持構造における可動部分および隙間を減少させることができ、当該隙間に汚れが蓄積してしまう課題を解決することが可能となる。したがって、清潔な電気かみそりを提供することが可能となる。また、デザイン面においても見栄えをよくすることが可能となる。
【００２６】
なお、連結部３４の構成は特に限定されるものではないが、本実施形態に係る連結部３４は、刃枠体３０の外縁部に設けられる第１の連結部３４Ａと、刃枠体３０の中央寄り（外縁部と中央部との間）に設けられる第２の連結部３４Ｂと、を有して構成されている。
【００２７】
ここで、本実施形態に係る第１の連結部３４Ａおよび前記第２の連結部３４Ｂは、いずれもスナップフィット係合構造を有することによって、連結が解放されないように形成されている。これによって、複数の外刃枠３２の連結体として形成される刃枠体３０を、上記変形が可能な一体構造として構成することが可能となる。なお、第１の連結部３４Ａおよび第２の連結部３４Ｂのいずれか一方のみスナップフィット係合構造としても十分である。
【００２８】
より詳しくは、刃枠体３０を構成する一つの外刃枠３２の下面側から視た拡大図である図５に示すように、第１の連結部３４Ａは、相互に隣接する一方の外刃枠３２に第１のスナップフィット係合突起３４Ａ１が設けられ、他方の外刃枠３２に第１のスナップフィット係合溝３４Ａ２が設けられて、両者をスナップフィット係合させることによって、連結が解放されないように当該連結部３４を構成することができる。また、第１のスナップフィット係合突起３４Ａ１と第１のスナップフィット係合溝３４Ａ２との係合は遊びを持って行われるように、それぞれの寸法・形状を設定することによって、連結部３４により連結された連結位置Ｘにおいて、隣接する外刃枠３２同士の屈曲動作を可能とし、ひいては刃枠体３０の上面３０ａを凸面と凹面とに変形することを可能としている。
【００２９】
第２の連結部３４Ｂに関しても、同様に、相互に隣接する一方の外刃枠３２に第２のスナップフィット係合突起３４Ｂ１が設けられ、他方の外刃枠３２に第２のスナップフィット係合溝３４Ｂ２が設けられて、両者をスナップフィット係合させることによって、連結が解放されないように当該連結部３４を構成することができる。また、前記同様に、第２のスナップフィット係合突起３４Ｂ１と第２のスナップフィット係合溝３４Ｂ２との係合は遊びを持って行われるように、それぞれの寸法・形状を設定することによって、連結部３４により連結された連結位置Ｘにおいて、隣接する外刃枠３２同士の屈曲動作を可能とし、ひいては刃枠体の上面を凹面と凸面とに変形することを可能としている。
【００３０】
変形が可能な一体構造として形成された刃枠体３０は、ヘッドケース１２に係合されて保持される。本実施形態においては、刃枠体３０を構成している各外刃枠３２にヘッドケース１２に係合される係合部材３６が設けられている。より詳しくは、当該係合部材３６は、ヘッドケース１２に設けられた嵌合孔３５に嵌合されて外刃枠３２を揺動可能且つ着脱可能に支持する支点軸部材３７と、当該支点軸部材３７を嵌合孔３５に入り込む方向（図７中の矢印方向）に付勢する第２の付勢部材３８と、を有して構成される。このように、各外刃枠３２がヘッドケース１２に対して揺動可能であって、且つ、隣接する外刃枠３２同士が屈曲可能であることによって、当該外刃枠３２の連結体として形成される刃枠体３０の上記変形が可能となっている。なお、本実施形態に係る第２の付勢部材３８には、線バネを用いているが、これに限定されるものではない。
【００３１】
また、一例として、支点軸部材３７は、図７に示すように、ヘッドケースに対して外刃枠３２を揺動させる際の搖動軸となる軸線Ｌ１が、平面視において外刃２２の髭剃り面の中心Ｃ１と一致する位置を通過し、且つ、刃枠体３０の中心Ｃ２と髭剃り面の中心Ｃ１とを結ぶ線Ｌ２と直交する配置に設けられている（図７参照）。なお、変形例として、軸線Ｌ１の通過位置は、中心Ｃ１と一致する位置の近傍位置（例えば、中心Ｃ１からの距離が５［ｍｍ］程度以内の位置）を通過する配置としてもよい。このように、軸線Ｌ１の通過位置を中心Ｃ１から若干ずらすことによって、前述の内刃駆動軸受６１に設けられたコイルバネにより生じる内刃４２の外刃２２に対する押圧力によって刃枠体３０の上面を凸面に維持しつつ、外力に応じて凸面と凹面との間で変化させる構成を実現することが可能となる。
【００３２】
ここで、本実施形態においては、刃枠体３０の上面３０ａが凸面となるように刃枠体３０の下面側から常時付勢される第１の付勢部材５６が設けられている。第１の付勢部材５６は、内刃受５４に可動に保持される可動軸５２に接続（連結）されて設けられており、当該可動軸５２を刃枠体３０の下面から上面に向かう方向に付勢する構成となっている。より詳しくは、図２、３に示すように、内刃受５４の円筒部５４ａの内部に、第１の付勢部材（ここでは、コイルバネ）５６が装着された可動軸５２が配設されて、上記付勢力を可動軸５２に付与している。このように、刃枠体３０の下面側に固定される内刃受５４により上下動可能に保持される可動軸５２が第１の付勢部材５６によって付勢され、且つ、付勢された可動軸５２が刃枠体３０の下面側に当接することによって、刃枠体３０を下面から上面に向かう方向に付勢する作用が得られる。
【００３３】
なお、変形例として、第１の付勢部材を設けずに、前述の内刃駆動軸受６１に設けられたコイルバネにより生じる内刃４２の外刃２２に対する押圧力によって、刃枠体３０を下面から上面に向かう方向に付勢する構成としてもよい。
【００３４】
本実施形態に係る内刃受５４は、複数（本実施形態においては、三つ）の固定用突片５４ｂを有している。この各固定用突片５４ｂを、これと対応するように刃枠体３０に設けられた内刃受固定部（ここでは、突起部）３９と連結部３４Ｂとの間の空間部に進入させることによって、内刃受５４が刃枠体３２に固定される構成となっている。ここで、内刃受固定部（突起部）３９は、第１の連結部３４Ａ（ここでは、第１のスナップフィット係合突起３４Ａ）に設けられている。この構成によれば、刃枠体３０によって内刃受５４を保持する構造を実現しつつ、刃枠体３０が連結部３４により連結された連結位置Ｘにおいて屈曲可能で且つ全体の上面３０ａが凹面と凸面とで変形可能となることを可能とし、さらに、刃枠体３０の上面３０ａが凸面となるように当該刃枠体３０の下面側から第１の付勢部材５６によって常時付勢される構成を実現することができる。なお、「常時付勢」とは、刃枠体３０の上面３０ａに外力が作用していない場合に、上面３０ａが凸面となるように付勢することをいい、外力が作用した場合に、上面３０ａが凸面から凹面となるように変形可能であることは前述の通りである。
【００３５】
また、内刃受５４は、刃ユニット１６の数に対応する複数（本実施形態においては、三つ）のリング部５４ｃを有している。すなわち、内刃受５４が刃枠体３２に固定された状態とすることで、刃枠体３２をヘッドケース１２から取り外しても、リング部５４ｃによって内刃４２の脱落を防止することができる。なお、使用時（髭剃り時）において、リング部５４ｃと内刃４２とは当接（干渉）しない状態となっている。
【００３６】
また、可動軸５２は、先端部に溝部５２ａが設けられている。これに対応するように、刃枠体３０には、下面側の中央位置において、各外刃枠３２に形成された突起部３３ａの集合体として構成される突起集合部３３が設けられている。上記の構成によれば、突起集合部３３は、可動軸５２に設けられた溝部５２ａに嵌合されて保持されることによって、付勢された可動軸５２が刃枠体３０の下面側に当接して当該刃枠体３０を下面から上面に向かう方向に付勢する際に、横方向に位置ずれしてしまうことを防止することができるため、使用中において様々に変形する刃枠体３０を確実に付勢することが可能となる。
【００３７】
なお、突起集合部３３は、刃枠体３０の上面３０ａが凸面に変形されたときに突起部３３ａが集合した状態で外観のなす概略形状が円錐台状となり、刃枠体３０の上面３０ａが凹面に変形されたときに突起部３３ａが集合した状態で外観のなす概略形状が円柱状となるように形成されている。これによって、刃枠体３０の上面３０ａが変形した場合にであっても、円筒状に形成された可動軸の溝部５２ａに対して、突起集合部３３を確実に嵌合させた状態を維持することが可能となる。
【００３８】
以上、説明した通り、本発明に係るロータリー式電気かみそり１によれば、
刃枠体３０（外刃枠３２）によって、直接、外刃２２を保持する構成において、刃枠体３０（外刃枠３２）に対して外刃２２が上下動可能および傾動可能となる構成を実現すると共に、刃枠体３０の上面３０ａが凸面となる状態と、凹面となる状態との間で変形可能となる構成を実現することができる。この構成によって、使用者の肌への追従性が向上して、髭剃り性能および剃り心地を向上させることができる。
【００３９】
また、例えば、支持リム等を介して外刃を外刃枠に保持して、外刃を傾動させる構成の従来技術と比較して、刃枠体３０（外刃枠３２）によって、直接、外刃２２を保持する構成が実現でき、且つ、刃枠体３０の上面３０ａを凹面と凸面とで変形させる構成が実現できるため、外刃保持構造における可動部分および隙間を減少させることができ、当該隙間に汚れが蓄積してしまう課題を解決することが可能となる。このように、清潔な維持が可能となるのみならず、デザイン的にもすっきりとして洗練された印象を与えることが可能となる。
【００４０】
また、ヘッド部３における外刃２２の保持構造を少ない部品点数によって実現することができるため、構造の簡素化およびコストの低減が可能となる。
【００４１】
なお、本発明は、以上説明した実施例に限定されることなく、本発明を逸脱しない範囲において種々変更が可能である。特に、刃ユニットを三組有するロータリー式電気かみそりを例に挙げて説明を行ったが、これに限定されるものではなく、刃ユニットを複数組（例えば、四組、五組等）有するロータリー式電気かみそりにも適用することができる。
【符号の説明】
【００４２】
１  ロータリー式電気かみそり
２  本体部
３  ヘッド部
１０  ケース
１２  ヘッドケース
１４  電源スイッチ
１６  刃ユニット
２２  外刃
３０  刃枠体
３２  外刃枠
３４  連結部
３４Ａ  第１の連結部
３４Ｂ  第２の連結部
３６  係合部材
３７  支点軸部材
３８  第２の付勢部材
３９  内刃受固定部
４２  内刃
４４  内刃保持台
５２  可動軸
５２ａ  溝部
５４  内刃受
５６  第１の付勢部材
６０  内刃駆動軸
６１  内刃駆動軸受
Ｘ  連結位置
【図１】
2015070927.tif 000003
【図２】
2015070927.tif 000004
【図３】
2015070927.tif 000005
【図４】
2015070927.tif 000006
【図５】
2015070927.tif 000007
【図６】
2015070927.tif 000008